(57)【特許請求の範囲】
【請求項１】
土撥ね上げ用のロータリ（１０）と、該ロータリ（１０）で撥ね上げた土を後方に搬送するコンベア（１１）と、該コンベア（１１）により搬送された土をマルチフィルム（２１）で被覆した畝の両側に落とす土落とし板（１３）と、該マルチフィルム（２１）で被覆した畝の両側を押さえる押さえ輪（５０）を有するマルチ被覆装置であって、前記土落とし板（１３）の上部をコンベア（１１）の後部に上下回動可能に枢支し、前記ロータリ（１０）の後面より、後方へ前後フレーム（９）を延設し、該前後フレーム（９）の後端に、前記押さえ輪（５０）の支持ステー（４５）の前端を、ピン（４６）により枢支し、該支持ステー（４５）に左右方向の支持バー（４７）を横設し、該支持バー（４７）に押さえ輪（５０）を左右位置調節可能に固定し、前記土落とし板（１３）の後面にチェーン（２３）を取り付け、該チェーン（２３）の他端を、上方に位置する前記支持バー（４７）に連結固定し、該押さえ輪（５０）の支持ステー（４５）を、該ピン（４６）を中心に上方へ回動して収納可能とすると共に、該押さえ輪（５０）の回動と同時に、前記チェーン（２３）を介して土落とし板（１３）を持ち上げ可能としたことを特徴とするマルチ被覆装置。
【請求項２】
請求項１記載のマルチ被覆装置において、前記土落とし板（１３）の下辺を畝上面の形状に合わせた円弧状としたことを特徴とするマルチ被覆装置。
【請求項３】
請求項２記載のマルチ被覆装置において、前記土落とし板（１３）の上面に、土を左右に振り分ける分送板（２２）を、左右方向・上下方向・回転方向にそれぞれ位置調節可能に取り付けたことを特徴とするマルチ被覆装置。
【発明の詳細な説明】
【０００１】
【発明の属する技術分野】
本発明は、管理機の後部に装着して、マルチフィルムを敷設するマルチ被覆装置において、引き出したマルチフィルムを押さえる押さえ輪と土落とし板の構成に関する。
【０００２】
【従来の技術】
従来から、管理機の後部にマルチ被覆装置を装着して、畝上にマルチフィルムを被覆する技術は公知となっている。これらのマルチ被覆装置は一畝をマルチフィルムで被覆するようにしており、畝の両側に、押さえ輪と覆土ディスクを配置して、マルチフィルムを引き出しながら、マルチフィルムの両側を土で押さえるようにしていた。また、土をコンベアにより畝の両側へ搬送して押さえるように構成した技術も公知となっている。
【０００３】
【発明が解決しようとする課題】
しかし、マルチフィルムの両側を押さえる押さえ輪と、土を被せるための装置は別々に上方へ持ち上げるようにしており、作業時において、圃場端まで作業が進むと、マルチフィルムを切断する必要があり、マルチフィルムの切断位置は押さえ輪や土落とし板の下方に位置するため、とても作業が面倒であり、次の畝に移動して作業を始める前にマルチフィルムを引き出す作業も面倒で、作業性が悪くなっていた。
【０００４】
【課題を解決するための手段】
本発明の解決しようとする課題は以上の如くであり、次に該課題を解決するための手段を説明する。
請求項１においては、土撥ね上げ用のロータリ（１０）と、該ロータリ（１０）で撥ね上げた土を後方に搬送するコンベア（１１）と、該コンベア（１１）により搬送された土をマルチフィルム（２１）で被覆した畝の両側に落とす土落とし板（１３）と、該マルチフィルム（２１）で被覆した畝の両側を押さえる押さえ輪（５０）を有するマルチ被覆装置であって、前記土落とし板（１３）の上部をコンベア（１１）の後部に上下回動可能に枢支し、前記ロータリ（１０）の後面より、後方へ前後フレーム（９）を延設し、該前後フレーム（９）の後端に、前記押さえ輪（５０）の支持ステー（４５）の前端を、ピン（４６）により枢支し、該支持ステー（４５）に左右方向の支持バー（４７）を横設し、該支持バー（４７）に押さえ輪（５０）を左右位置調節可能に固定し、前記土落とし板（１３）の後面にチェーン（２３）を取り付け、該チェーン（２３）の他端を、上方に位置する前記支持バー（４７）に連結固定し、該押さえ輪（５０）の支持ステー（４５）を、該ピン（４６）を中心に上方へ回動して収納可能とすると共に、該押さえ輪（５０）の回動と同時に、前記チェーン（２３）を介して土落とし板（１３）を持ち上げ可能としたものである。
【０００５】
請求項２においては、請求項１記載のマルチ被覆装置において、前記土落とし板（１３）の下辺を畝上面の形状に合わせた円弧状としたものである。
【０００６】
請求項３においては、請求項２記載のマルチ被覆装置において、前記土落とし板（１３）の上面に、土を左右に振り分ける分送板（２２）を、左右方向・上下方向・回転方向にそれぞれ位置調節可能に取り付けたものである。
【０００７】
【発明の実施の形態】
次に、本発明の実施の形態を説明する。図１は管理機の後部にマルチ被覆装置を装着した全体側面図、図２はマルチ被覆装置の後面図、図３は同じく側面図、図４は押さえ輪と土落とし板を持ち上げた側面図、図５は土落とし板取付部の側面図、図６は同じく後面図、図７は土落とし板の斜視図、図８は分送板の斜視図、図９は取付ボルトの斜視図、図１０はゲージ輪取付部の後面図、図１１は同じく側面図である。
【０００８】
図１よりマルチ被覆装置の全体構成から説明する。管理機１の後部にマルチ被覆装置２が装着されており、管理機１はエンジン３の後部にミッションケース４を配置し、該ミッションケース４の上部にハンドル５の基部を前後振り替え可能に配置し、ミッションケース４の後部にヒッチを介してマルチ被覆装置２を装着し、ミッションケース４下部にチェーンケース６を介して走行輪７を軸支している。こうして、マルチ被覆作業の時はハンドル５を前方に振り替えて固定して、作業者は後ろを向きながら管理機１を前進させて作業を行う。
【０００９】
マルチ被覆装置２は図１、図２、図３に示すように、ロータリ１０の後面より前後水平方向に前後フレーム９が後方に延設され、該ロータリ１０は前記ミッションケース４の後部に固設されてチェーン等を介して動力が伝達され、該ロータリ１０は左右の畝間を耕耘して土を撥ね上げるようにし、左右幅は短く構成している。該ロータリ１０の耕耘爪２６が回転する前後左右はカバー２７によって覆われ、該カバー２７の側面には掃除やメンテナンスをするための開口部が設けられ、該開口部は蓋体２７ａによって閉じられ、該蓋体２７ａは蝶番等によって容易に開閉できるようにしている。前記前後フレーム９の左右両側にコンベア１１Ｌ・１１Ｒが配置され、該コンベア１１Ｌ・１１Ｒは前記前後フレーム９と左右両外側に配置したコンベアフレーム１５・１５により支持されている。
【００１０】
そして、該コンベア１１Ｌ・１１Ｒは前後フレーム９とコンベアフレーム１５・１５の前部に従動ローラー、後部に駆動ローラーを配置し、該従動ローラーと駆動ローラーの間に幅広のベルトを巻回している。前記駆動ローラーは前後フレーム９の側部に配置した伝動ケース１６から動力が伝達され、該伝動ケース１６の前部には前記チェーンケース６の上部に配置した走行駆動軸よりプーリー、ベルト等を介して駆動される。
【００１１】
一方、コンベア１１Ｌ・１１Ｒの上部からロータリ１０の側部まで撥ね上げカバー１２・１２が配置されている。こうして、畝間の土をロータリ１０によって上側方へ撥ね上げて、撥ね上げカバー１２に案内さて、土はコンベア１１Ｌ・１１Ｒ上に落下し、土は後方へ搬送されるようにしている。但し、本実施例では二つのコンベア１１を平行に配置して二つの畝にマルチフィルムを被覆する構成を示しているが、一つの畝または三つ以上の畝にマルチフィルムを被覆する構成とすることもできる。
【００１２】
図３、図５〜図７に示すように、前記コンベア１１Ｌ・１１Ｒの後下部から土落とし板１３・１３が下方に延設されている。該土落とし板１３は後面視略台形状に構成され、該土落とし板１３の上辺部には蝶番１４を配置して前後フレーム９とコンベアフレーム１５の間の後部に上下回動自在に枢支されている。左右両側の斜辺部には垂直方向に側板１３ａ・１３ａが折り曲げ形成されて、機体中央側の側板１３ａの前部より上方に吊りプレート１７が立設され、該吊りプレート１７には上下方向に長孔１７ａが開口されて、前記コンベア１１の側板に固定した支持板１９に蝶ボルト２０によって吊りプレート１７が上下摺動自在に支持されている。
【００１３】
また、土落とし板１３の下辺部の中央は畝の上面の形状に合わせて円弧状に形成してガイド部１３ｂとし、作業時にマルチフィルム２１が土落とし板１３の下辺部に引っ掛かったり、傷付けたりすることを防止し、容易に追従して皺等が生じないようにしている。そして、土落とし板１３の後面（上面）の下部に分送板２２を取り付けるための長孔１３ｃが前後方向に開口され、その下部にボルト孔１３ｄが開口されて、該ボルト孔１３ｄにアイボルト等を螺装固定して、該アイボルトに連結体となるチェーン２３を連結している。但し、チェーンの代わりに紐やワイヤー等を用いることができる。
【００１４】
前記分送板２２は図６、図８に示すように、プレートを平面視逆Ｖ字状に曲げて、左右の板を連結板２２ａによって連結補強し、該連結板２２ａには左右方向に長孔２２ｂを開口し、該長孔２２ｂと前記長孔１３ｃに図６、図９に示すように、取付ボルト２４を貫通してネジ２５とによって分送板２２が固定される。つまり、土落とし板１３上に分送板２２を載置して、取付ボルト２４を長孔２２ｂと長孔１３ｃに挿入して、分送板２２を左右上下方向及び取付ボルト２４を中心に回動して、位置調節して固定できるようにしている。
【００１５】
このように構成することによって、コンベア１１から土落とし板１３上に落下した土は、分送板２２によって左右方向に分けられ、側板１３ａと分送板２２に案内されて落下し、該分送板２２の左右位置を変更することによって、上端の頂部の位置が変更されて左右に落下する土の分配量を調節することができ、分送板２２の上下位置及び角度を変更することによって、落下位置を調節することができる。こうしてマルチフィルム２１を被覆した畝の左右両側に土を落として押さえることができるのである。
【００１６】
また、図１、図２に示すように、前記前後フレーム９の前後中途部上に支柱３０が立設され、該支柱３０の上端に支持パイプ３１の中央部が左右方向に固定され、該支持パイプ３１の両側に支持杆３２・３２が左右摺動可能に挿入されて、ボルト等によって畝間の位置に合わせられるように後述するゲージ輪３９を位置調整可能に固定されている。図１０、図１１に示すように、該支持杆３２の外側端に取付筒３３が上下方向に固設され、該取付筒３３に支持筒３４が挿入されて、固定ネジ３５によって上下位置調節可能に固定され、該支持筒３４に車輪支持杆３６が挿入され、該車輪支持杆３６の下端にはゲージ輪３９が回転自在に支持され、該車輪支持杆３６及びゲージ輪３９は支持筒３４の上端に設けたハンドル３７を回動することによって昇降可能としている。
【００１７】
こうして、左右のハンドル３７・３７を回動することによって左右両側のゲージ輪３９・３９の高さが変更されて、マルチ被覆装置２の接地高さ及び傾斜を変更することができ、該左右のゲージ輪３９・３９によって機体のフラツキがなく安定して作業を行えることができ、耕深も一定に保つことができ、傾斜地においても、傾斜に合わせてマルチ被覆装置２の角度を容易に変更でき、確実に作業ができるのである。
【００１８】
そして、前記前後フレーム９の後端には、図２、図３に示すように、支持ステー４５の前端がピン４６によって枢支され、該支持ステー４５の下部に支持バー４７が横設され、該支持バー４７の左右及び中央にそれぞれ押さえ輪支持アーム４９・４９・４９が左右位置調節可能に固定さている。該押さえ輪支持アーム４９の先端に押さえ輪５０が回転自在に支持されている。
【００１９】
また、前記支持ステー４５後部にパイプカム５１が固設され、該パイプカム５１にストッパーピン５２が挿入されてバネ等によって突出するように付勢され、該ストッパーピン５２の突出部が図３に示すように前記前後フレーム９の下面に当接することによって押さえ輪５０が後方回動することを規制している。
【００２０】
また、前記土落とし板１３の後面に取り付けたチェーン２３の他端が、その上方に位置する前記支持バー４７に連結固定され、前記支持ステー４５を枢支したピン４６の前方にストッパー５３が配置されている。一方、前記前後フレーム９の後部より下方に支持フレーム５４を突設して左右水平方向に延設し、該支持フレーム５４の両端にマルチフィルム２１の筒の両側を支持する取付部５５を設けている。
【００２１】
このような構成において、マルチフィルム２１の被覆作業をするときに、マルチフィルム２１を取付部５５に取り付けて引き出すために、まず、前記ストッパーピン５２を回動すると、パイプカム５１によってストッパーピン５２の突出部分はパイプカム５１内に入り収納され、前後フレーム９とは当接することがなく、ピン４６を中心に支持バー４７を上方へ回動することができ、押さえ輪５０・５０・５０を上方へ持ち上げて収納すると、支持ステー４５または、パイプカム５１がストッパー５３に当接してその状態を維持できる。
【００２２】
そしてこの上方への回動時に、図４に示すように、チェーン２３が引っ張られて、土落とし板１３も持ち上げられ、該土落とし板１３は蝶番１４を中心に回動して後部が持ち上げられて畝８との間に大きく空間を形成することができて、マルチフィルム２１を装着したり、引き出したり、圃場端でマルチフィルム２１を切断したりすることが容易にできるのである。つまり、押さえ輪５０を上方へ持ち上げるだけで、土落とし板１３も持ち上げられ、押さえ輪５０を降ろすと土落とし板１３も降ろされ、二つの持ち上げ操作を別々にすることなく、作業が簡単に行えるのである。
【００２３】
【発明の効果】
本発明は以上の如く構成したので、次のような効果を奏するのである。
請求項１に記載の如く、土撥ね上げ用のロータリ（１０）と、該ロータリ（１０）で撥ね上げた土を後方に搬送するコンベア（１１）と、該コンベア（１１）により搬送された土をマルチフィルム（２１）で被覆した畝の両側に落とす土落とし板（１３）と、該マルチフィルム（２１）で被覆した畝の両側を押さえる押さえ輪（５０）を有するマルチ被覆装置であって、前記土落とし板（１３）の上部をコンベア（１１）の後部に上下回動可能に枢支し、前記ロータリ（１０）の後面より、後方へ前後フレーム（９）を延設し、該前後フレーム（９）の後端に、前記押さえ輪（５０）の支持ステー（４５）の前端を、ピン（４６）により枢支し、該支持ステー（４５）に左右方向の支持バー（４７）を横設し、該支持バー（４７）に押さえ輪（５０）を左右位置調節可能に固定し、前記土落とし板（１３）の後面にチェーン（２３）を取り付け、該チェーン（２３）の他端を、上方に位置する前記支持バー（４７）に連結固定し、該押さえ輪（５０）の支持ステー（４５）を、該ピン（４６）を中心に上方へ回動して収納可能とすると共に、該押さえ輪（５０）の回動と同時に、前記チェーン（２３）を介して土落とし板（１３）を持ち上げ可能としたので、マルチフィルムを装着したり、圃場端でマルチフィルムを切断したりするときに、押さえ輪を持ち上げるだけで土落とし板も持ち上げることが可能となり、圃場面と土落とし板の間の空間を大きくとることができて、作業がし易くなり、持ち上げる手間も省け、その操作も簡単に行えるのである。また、降ろす時も同時に降ろすことができるので、二つ降ろす動作が一つの操作で行え、作業性も向上できる。
【００２４】
請求項２に記載の如く、請求項１記載のマルチ被覆装置において、前記土落とし板（１３）の下辺を畝上面の形状に合わせた円弧状としたので、作業時に土落とし板がマルチフィルムの引き出し時に引っ掛けて、損傷を与えることがなくなり、マルチフィルムを畝形状に沿わせることが可能となり、マルチフィルムに皺を寄せることがなく、きれいに被覆できる。
【００２５】
請求項３の如く、請求項２記載のマルチ被覆装置において、前記土落とし板（１３）の上面に、土を左右に振り分ける分送板（２２）を、左右方向・上下方向・回転方向にそれぞれ位置調節可能に取り付けたので、マルチフィルムを被覆した畝の両側に落とす土の量や位置を容易に調節することが可能となり、確実にマルチフィルムを押さえることができ、マルチフィルムの幅や畝の大きさに容易に合わせることができるのである。
【図面の簡単な説明】
【図１】  管理機の後部にマルチ被覆装置を装着した全体側面図である。
【図２】  マルチ被覆装置の後面図である。
【図３】  同じく側面図である。
【図４】  押さえ輪と土落とし板を持ち上げた側面図である。
【図５】  土落とし板取付部の側面図である。
【図６】  同じく後面図である。
【図７】  土落とし板の斜視図である。
【図８】  分送板の斜視図である。
【図９】  取付ボルトの斜視図である。
【図１０】  ゲージ輪取付部の後面図である。
【図１１】  同じく側面図である。
【符号の説明】
１０  ロータリ
１１  コンベア
１３  土落とし板
２１  マルチフィルム
２２  分送板
２３  連結体（チェーン）
５０  押さえ輪
【図１】
0004445062.tif 000002
【図２】
0004445062.tif 000003
【図３】
0004445062.tif 000004
【図４】
0004445062.tif 000005
【図５】
0004445062.tif 000006
【図６】
0004445062.tif 000007
【図７】
0004445062.tif 000008
【図８】
0004445062.tif 000009
【図９】
0004445062.tif 000010
【図１０】
0004445062.tif 000011
【図１１】
0004445062.tif 000012